(57)【要約】【課題】安定的なデータ通信容量を確保する。【解決手段】在圏するセルが予め定められたセルであるか否かを判定する判定部と、在圏するセルが予め定められたセルである場合に、予め定められたセル以外のセルに在圏するときに通信する画質より高い画質で画像情報の通信を行う通信部とを備える。【選択図】図１
2016039609.tif 000002
【特許請求の範囲】
【請求項１】
在圏するセルが予め定められたセルであるか否かを判定する判定部と、
在圏するセルが予め定められたセルである場合に、予め定められたセル以外のセルに在圏するときに通信する画質より高い画質で画像情報の通信を行う通信部と
を備える通信端末。
【請求項２】
前記通信部は、複数の異なる周波数帯のセルを介して前記画像情報の通信を行う場合に、前記画像情報の通信に用いる前記セルの数が多いほど高い画質での通信を行う
請求項１に記載の通信端末。
【請求項３】
在圏するセルを形成する基地局のスケジューリング情報を取得するスケジュール取得部と、
前記スケジュール取得部が取得したスケジューリング情報に基づいて所定の通信速度を得ることができるか否かを判定する判定部と
をさらに備え、
前記通信部は、予め定められたセルに在圏し、かつ前記判定部が所定の通信速度を得ることができないと判定した場合に、予め定められたセル以外のセルに在圏するときに通信する画質での通信を行う
請求項１または請求項２に記載の通信端末。
【請求項４】
在圏するセルが予め定められたセルであるか否かを判定するステップと、
在圏するセルが予め定められたセルである場合に、予め定められたセル以外のセルに在圏するときに通信する画質より高い画質で画像情報の通信を行うステップと
を有する通信方法。
【請求項５】
コンピュータを、
在圏するセルが予め定められたセルであるか否かを判定する判定部、
在圏するセルが予め定められたセルである場合に、予め定められたセル以外のセルに在圏するときに通信する画質より高い画質で画像情報の通信を行う通信部
として機能させるためのプログラム。
【発明の詳細な説明】
【技術分野】
【０００１】
本発明は、通信端末、通信方法及びプログラムに関する。
【背景技術】
【０００２】
３ＧＰＰ（3rd Generation Partnership Project）では、現在、ＬＴＥ−Ａ（Long Term Evolution-Advanced、ＬＴＥは登録商標）の仕様検討が行われている。ＬＴＥ−Ａでは、ＬＴＥよりも高速の通信を実現することが要求されており、ＬＴＥよりも広帯域（ＬＴＥの２０ＭＨｚの帯域を越える１００ＭＨｚまでの帯域）をサポートすることが求められている。
【０００３】
しかしながら、連続した広帯域の周波数領域をＬＴＥ−Ａ用として確保することは難しい。そこで、ＬＴＥ−Ａでは、ＬＴＥとの互換性を可能な限り維持する目的から、ＣＣ（Component Carrier）と呼ばれる帯域幅が２０ＭＨｚまでの周波数帯域を複数まとめて通信を行うことが検討されている。その通信では、複数の異なる周波数帯のセルを用いて通信を行うことで、高速かつ大容量の通信を実現させるＣＡ（Carrier Aggregation）技術を用いることが検討されている（非特許文献１を参照）。
【０００４】
ＣＡ技術を用いた通信（以下、「ＣＡ通信」ともいう）で使用されるＣＣは、ＣＡ通信の開始時や再設定時に基地局装置から移動局装置固有のものとして移動局装置へ割り当てられる。通信を行うサービングセル（Serving Cell）は、一つのＰ−Ｃｅｌｌ（Primary Serving Cell）と一つ以上のＳ−Ｃｅｌｌ（Secondary Serving Cell）との組み合わせにより構成される。
【先行技術文献】
【非特許文献】
【０００５】
【非特許文献１】“3GPP TS 36.300 V11.0.0 (2011-12)”、「online」、「平成２６年８月１１日検索」、インターネット＜ＵＲＬ：http://www.3gpp.org/ftp/Specs/archive/36_series/36.300/36300-b00.zip＞
【発明の概要】
【発明が解決しようとする課題】
【０００６】
しかしながら、ＣＡ技術を用いた通信を行うにあたり、通信端末はP-Cell及びS-Cellの通信能力を認識できないため、安定的なデータ通信容量を確保することが困難であるという問題がある。
本発明の目的は、安定的なデータ通信容量を確保する通信端末、通信方法及びプログラムを提供することにある。
【課題を解決するための手段】
【０００７】
第１の態様は、在圏するセルが予め定められたセルであるか否かを判定する判定部と、在圏するセルが予め定められたセルである場合に、予め定められたセル以外のセルに在圏するときに通信する画質より高い画質で画像情報の通信を行う通信部とを備える通信端末である。
【発明の効果】
【０００８】
上記態様によれば、通信端末は、予め高速な通信を行うことができることを認識しているセルに在圏しているときに、より高速な通信を行う。これにより、通信端末は、安定的に通信することができる適切なデータ通信容量を確保することができる。
【図面の簡単な説明】
【０００９】
【図１】第１の実施形態に係る無線通信システムの構成を示す概略ブロック図である。
【図２】第１の実施形態に係る通信端末の画像情報の送信時の動作を示す図である。
【図３】第６の実施形態に係る通信システムの構成を示す概略ブロック図である。
【図４】第６の実施形態に係る通信端末の画像情報の送信時の動作を示す図である。
【図５】第８の実施形態に係る通信システムの構成を示す概略ブロック図である。
【図６】第８の実施形態に係る通信端末の画像情報の送信時の動作を示す図である。
【発明を実施するための形態】
【００１０】
以下、図面を参照しながら実施形態について詳しく説明する。
《第１の実施形態》
図１は、第１の実施形態に係る無線通信システムの構成を示す概略ブロック図である。
第１の実施形態に係る無線通信システムは、通信端末１００と基地局装置２００とを備える。なお、図１では１つの通信端末１００と１つの基地局装置２００を示すが、無線通信システムは、複数の通信端末１００と複数の基地局装置２００を備えて良い。
【００１１】
通信端末１００は、複数の端末送信部１０１、複数の端末受信部１０２、能力記憶部１０３、能力設定部１０４、能力選択部１０５、能力送信制御部１０６、画像取得部１０７、解像度特定部１０８、表示部１０９を備える。
端末送信部１０１は、在圏しているセルを介して、ＬＴＥの規格に従って基地局装置２００に無線信号を送信する。
端末受信部１０２は、在圏しているセルを介して、ＬＴＥの規格に従って基地局装置２００から無線信号を受信する。
端末送信部１０１及び端末受信部１０２は、通信部の一例である。
【００１２】
能力記憶部１０３は、相対的に高い通信レートでの通信を許可するセルの識別情報と、当該セルとの画像通信を行う際の画質に関する情報（以下、画質情報という）とを記憶する。画質情報とは、例えば当該セルを介した通信における画像情報の画質または当該画質の上限値もしくは下限値が挙げられる。つまり、能力記憶部１０３は、セルごとの通信能力を記憶する。なお、通信端末１００は、一定の時間毎に送信する画像情報（例えば、テレビ電話のフレーム画像）の画質が高いほど、通信レートを高くする必要がある。なお、能力記憶部１０３は、画質情報に代えて、フレーム画像の画質の情報を記憶しても良い。これは、通信レートから、当該通信レートで一定の時間毎に送信することができる画像情報の画質を算出することができるためである。
【００１３】
能力設定部１０４は、通信端末１００の利用者の設定により、相対的に高い通信レートでの通信を許可するセルの識別情報と、当該セルを介した通信における画像情報の画質情報の登録を受け付ける。例えば、利用者は、通信端末１００が現在在圏しているセルが高い通信レートでの通信が可能であると判断すると、図示しない入力部に当該セルを相対的に高い通信レートでの通信を許可するセルとして登録する旨を入力する。能力設定部１０４は、セルを登録する旨の情報が入力されると、現在在圏しているセルから当該セルの識別情報を取得し、取得した識別情報を能力記憶部１０３に記録する。
【００１４】
能力選択部１０５は、在圏しているセルの識別情報が能力記憶部１０３に記録されているか否かに基づいて、在圏しているセルに適用される通信レートを特定する。具体的には、能力選択部１０５は、在圏しているセルの識別情報が能力記憶部１０３に記録されている場合に、能力記憶部１０３が記憶する画質情報に基づいて通信レートを特定する。他方、能力選択部１０５は、在圏しているセルの識別情報が能力記憶部１０３に記録されていない場合に、デフォルト値として予め設定された通信レートを、通信に用いる通信レートとして特定する。
能力送信制御部１０６は、端末送信部１０１に、能力選択部１０５が特定した通信レートを基地局装置２００に通知させる。これにより端末送信部１０１は、在圏しているセルを介して基地局装置２００に通信レートを示すレート情報を送信する。
【００１５】
画像取得部１０７は、通信端末１００に設けられる図示しない撮像装置または記憶装置から画像情報を取得する。
解像度特定部１０８は、能力選択部１０５が選択した画質に基づいて送信する画像情報の解像度を特定し、画像取得部１０７が取得した画像情報の解像度を特定した解像度に変換する。また解像度特定部１０８は、端末受信部１０２が受信した画像情報の解像度を特定し、表示部１０９による表示を制御する。なお解像度は画質の一例である。
表示部１０９は、端末受信部１０２が受信した画像情報を、解像度特定部１０８が特定した解像度に基づいて表示する。
【００１６】
基地局装置２００は、複数の基地局送信部２０１、複数の基地局受信部２０２、端末能力特定部２０３、端末能力記憶部２０４、スケジューリング部２０５を備える。
基地局送信部２０１は、自装置が形成するセルを介して、ＬＴＥの規格に従って通信端末１００に無線信号を送信する。
基地局受信部２０２は、自装置が形成するセルを介して、ＬＴＥの規格に従って通信端末１００から無線信号を受信する。
【００１７】
端末能力特定部２０３は、基地局受信部２０２が通信端末１００からレート情報を受信した場合に、当該レート情報を通信端末１００の識別情報に関連付けて端末能力記憶部２０４に記録する。
端末能力記憶部２０４は、自装置が形成するセルに在圏する各通信端末１００についてレート情報を記憶する。
スケジューリング部２０５は、端末能力記憶部２０４が記憶するレート情報に基づいて、通信端末１００に対して一定周期毎に無線リソースの割当（スケジューリング）を行う。
【００１８】
図２は、第１の実施形態に係る通信端末１００の画像情報の送信時の動作を示す図である。
通信端末１００がテレビ電話などの画像情報の送信を開始すると、まず能力選択部１０５は、能力記憶部１０３が記憶するセルの識別情報の中に、通信端末１００が現在在圏しているセルの識別情報が含まれるか否かを判定する（ステップＳ１０１）。
【００１９】
能力選択部１０５は、能力記憶部１０３が記憶するセルの識別情報の中に、現在在圏しているセルの識別情報が含まれると判定した場合（ステップＳ１０１：ＹＥＳ）、能力記憶部１０３が記憶する画質情報から、当該セルを介した通信に用いる通信レートを特定する（ステップＳ１０２）。また、解像度特定部１０８は、能力記憶部１０３が記憶する画質情報から、送信する画像情報の解像度を特定する（ステップＳ１０３）。なお、表示部１０９は、通信端末１００が相対的に高い通信レートでの通信を許可するセルに在圏している場合、その旨が分かるようにアイコンの色を変更したり、専用のアイコンを表示させたりしても良い。
【００２０】
他方、能力選択部１０５は、能力記憶部１０３が記憶するセルの識別情報の中に、現在在圏しているセルの識別情報が含まれないと判定した場合（ステップＳ１０１：ＮＯ）、当該セルを介した通信に用いる通信レートとして、通信レートのデフォルト値を用いることを決定する（ステップＳ１０４）。なお、通信レートのデフォルト値は、能力記憶部１０３が記憶する画質に基づいて特定される通信レートより低いものである。また、解像度特定部１０８は、送信する画像情報の解像度として、解像度のデフォルト値を用いることを決定する（ステップＳ１０５）。なお、解像度のデフォルト値は、能力記憶部１０３が記憶する画質情報から特定される解像度より低い解像度である。
【００２１】
ステップＳ１０２またはＳ１０４で能力選択部１０５が通信レートを特定すると、能力送信制御部１０６は、端末送信部１０１に、能力選択部１０５が特定した通信レートを示すレート情報を基地局装置２００に通知させる（ステップＳ１０６）。これにより、基地局装置２００の端末能力特定部２０３は、基地局受信部２０２が受信したレート情報に基づいて当該通信端末１００との通信に用いる通信レートを特定する。そして、スケジューリング部２０５は、当該通信レートに基づいて通信端末１００に対するスケジューリングを行う。
【００２２】
次に、解像度特定部１０８は、画像取得部１０７が取得した画像情報を、特定した解像度の画像情報に変換する（ステップＳ１０７）。そして端末送信部１０１は、解像度特定部１０８が変換した画像情報を、能力選択部１０５が特定した通信レートで送信する（ステップＳ１０８）。
【００２３】
次に、通信端末１００は、在圏するセルが変更されたか否かを判定する（ステップＳ１０９）。在圏するセルが変更された場合（ステップＳ１０９：ＹＥＳ）、通信端末１００は、ステップＳ１０１に戻り、在圏変更後のセルで用いる通信レート及び解像度を特定する。他方、在圏するセルが変更されない場合（ステップＳ１０９：ＮＯ）、通信端末１００は、ステップＳ１０７に戻り、画像情報の送信を継続する。
【００２４】
なお、通信端末１００が画像情報を受信する場合、通信端末１００は、送信時と同様の手順で通信レート及び解像度を特定し、通信レートを基地局装置２００に通知する。そして、通信端末１００の解像度特定部１０８は、端末受信部１０２が受信した画像情報の解像度を特定し、当該解像度に基づいて画像情報を表示部１０９に表示させる。
【００２５】
上記手順により、通信端末１００は、予め通信能力が分かっているセルに在圏している場合に、当該通信能力に見合った画質での画像通信を行うことができる。
【００２６】
《第２の実施形態》
第１の実施形態に係る通信端末１００は、能力設定部１０４が、通信端末１００の利用者の設定により、相対的に高い通信レートでの通信を許可するセルを介した通信における画像情報の画質情報の登録を受け付けるが、これに限られない。第２の実施形態に係る通信端末１００は、能力設定部１０４が、通信端末１００の利用者の設定により、相対的に高い通信レートでの通信を許可するセルを介さない通信における画像情報の画質情報の登録を受け付ける。つまり、能力記憶部１０３は、通信端末１００が能力記憶部１０３に記録されていない識別情報を有するセルに在圏しているときに用いる画質情報を記憶する。通信端末１００は、能力記憶部１０３に識別情報が記録されているセルに在圏している場合、デフォルト値として予め設定された解像度及び通信レートでの通信を行う。このとき、解像度及び通信レートのデフォルト値は、能力記憶部１０３が記憶する画質情報から特定される解像度及び通信レートより高いものである。
【００２７】
なお、他の実施形態に係る能力記憶部１０３は、相対的に高い通信レートでの通信を許可するセルを介した通信における画像情報の画質情報と、相対的に低い通信レートでの通信を許可するセルを介した通信における画像情報の画質情報の両方を記憶しても良い。
【００２８】
《第３の実施形態》
第３の実施形態に係る通信端末１００は、通信端末１００がＣＡ通信を行う場合に、在圏するＰ−Ｃｅｌｌに応じて画質を決定するものである。
Ｐ−Ｃｅｌｌは、通信端末１００が最初にＲＲＣ（Radio Resource Control）コネクションを張った基地局装置２００（プライマリコンポーネントキャリア）によって割り当てられるセルである。通信端末１００は、Ｐ−Ｃｅｌｌを介してレイヤ１のアップリンク制御情報（Ａｃｋ／Ｎａｃｋ応答やＣＱＩ等）、ＲＡＣＨ（Random Access Channel）の送信を行う必要がある。
【００２９】
基地局装置２００は、受信品質又はリソースの負荷状況に基づいて、最適なセルをＰ−Ｃｅｌｌとして選択する。そのため、ＣＡ通信に用いるＰ−Ｃｅｌｌの通信能力が高くない場合、他のセル（Ｓ−Ｃｅｌｌ）の同様に通信能力が高くないことが分かる。そのため、第３の実施形態に係る通信端末１００は、在圏するＰ−Ｃｅｌｌに応じて画質を決定することで、ＣＡ通信環境下において安定的なデータ通信容量を確保することができる。
【００３０】
具体的には、通信端末１００の能力選択部１０５は、能力記憶部１０３が記憶するセルの識別情報の中に、在圏しているＰ−Ｃｅｌｌの識別情報があるか否かを判定する。そして能力選択部１０５は、能力記憶部１０３が在圏しているＰ−Ｃｅｌｌの識別情報を記憶している場合に、能力記憶部１０３が記憶する画質情報に基づいて通信レートを特定する。解像度特定部１０８も同様に、能力記憶部１０３が記憶する画質情報に基づいて解像度を特定する。
【００３１】
《第４の実施形態》
第４の実施形態に係る通信端末１００は、通信端末１００がＣＡ通信を行う場合に、在圏するＰ−Ｃｅｌｌ及びＳ−Ｃｅｌｌに応じて画質を決定するものである。第３の実施形態では、基地局装置２００が受信品質又はリソースの負荷状況に基づいて、最適なセルをＰ−Ｃｅｌｌとして選択するため、Ｐ−Ｃｅｌｌに基づいて画質を決定したが、必ずしも通信能力の高いセルがＰ−Ｃｅｌｌとして選択されるとは限らない。
そこで、第４の実施形態に係る通信端末１００は、在圏するＰ−ＣｅｌｌとＳ−Ｃｅｌｌの両方の通信能力に基づいて画質を決定することで、さらに安定的なデータ通信容量を確保することができる。
【００３２】
具体的には、第４の実施形態に係る通信端末１００の能力記憶部１０３は、相対的に高い通信レートでの通信を許可するセルの識別情報と、当該セルがＰ−Ｃｅｌｌである場合に、画像通信を行う際の画質情報（以下、Ｐ画質情報という）と、当該セルがＳ−Ｃｅｌｌである場合に、画像通信を行う際の画質情報（以下、Ｓ画質情報という）とを記憶する。
【００３３】
そして能力選択部１０５は、能力記憶部１０３が記憶するセルの識別情報の中に、在圏しているＰ−Ｃｅｌｌの識別情報があるか否かを判定する。そして能力選択部１０５は、能力記憶部１０３が在圏しているＰ−Ｃｅｌｌの識別情報を記憶している場合に、Ｐ画質情報に基づいて通信レートを特定する。また、能力選択部１０５は、能力記憶部１０３が記憶するセルの識別情報の中に、ＣＡにおいて許可したＳ−Ｃｅｌｌの識別情報があるか否かを判定する。そして能力選択部１０５は、能力記憶部１０３がＣＡにおいて許可したＳ−Ｃｅｌｌの識別情報を記憶している場合に、Ｓ画質情報に基づいて通信レートを特定する。
【００３４】
《第５の実施形態》
第４の実施形態に係る通信端末１００は、相対的に高い通信レートでの通信を許可するセルがＰ−ＣｅｌｌであるかＳ−Ｃｅｌｌであるかに応じて画像情報の画質を決定する場合について説明したが、これに限られない。第５の実施形態に係る通信端末１００は、基地局装置２００が許可しているＣＡの形態に応じて画像情報の画質を決定する。
【００３５】
ＣＡ通信には、同一の基地局装置２００が形成する複数のセルを用いて通信を行う方式と、異なる基地局装置２００が形成するそれぞれのセルを用いて通信を行う方式との２種類がある。基地局装置２００によっては、上記２種類の方式の何れか一方のみを許可するものや、両方の方式を許可するものがある。そこで、第５の実施形態に係る通信端末１００は、基地局装置２００が許可しているＣＡの方式に応じて、画像情報の画質を異ならせる。
【００３６】
具体的には、第５の実施形態に係る通信端末１００の能力記憶部１０３は、相対的に高い通信レートでの通信を許可するセルの識別情報と、基地局装置２００が許可しているＣＡの方式ごとの画質情報とを記憶する。基地局装置２００が許可しているＣＡの方式ごとの画質情報の例としては、全てのＣＡの方式が許可されている場合の画質情報、同一の基地局装置２００が形成する１つのＳ−Ｃｅｌｌを用いて通信を行う方式のみが許可されている場合の画質情報、同一の基地局装置２００が形成する１つ以上のＳ−Ｃｅｌｌを用いて通信を行う方式のみが許可されている場合の画質情報、異なる基地局装置２００が形成する１つのＳ−Ｃｅｌｌを用いて通信を行う方式のみが許可されている場合の画質情報、異なる基地局装置２００が形成する複数のＳ−Ｃｅｌｌを用いて通信を行う方式のみが許可されている場合の画質情報が挙げられる。
【００３７】
そして能力選択部１０５は、能力記憶部１０３が記憶するセルの識別情報の中に、在圏しているＰ−Ｃｅｌｌの識別情報があるか否かを判定する。そして能力選択部１０５は、能力記憶部１０３が在圏しているＰ−Ｃｅｌｌの識別情報を記憶している場合に、当該Ｐ−Ｃｅｌｌが許可する方式の画質情報に基づいて通信レートを特定する。
【００３８】
《第６の実施形態》
ＣＡ通信においては、集約するキャリアの数が多いほど高速な通信を行うことができる。そのため第６の実施形態に係る通信端末１００は、ＣＡ通信に用いられるセルの数に応じて画質を異ならせる。具体的には、通信端末１００の端末送信部１０１及び端末受信部１０２は、画像情報の通信に用いるセルの数が多いほど高い画質での通信を行う。
【００３９】
図３は、第６の実施形態に係る通信システムの構成を示す概略ブロック図である。
第６の実施形態に係る通信端末１００は、第１の実施形態の構成に加え、さらにセル数特定部１１０を備え、能力記憶部１０３が記憶する情報及び能力選択部１０５の動作が異なる。
セル数特定部１１０は、通信端末１００に割り当てられたセルの数を特定する。
能力記憶部１０３は、相対的に高い通信レートでの通信を許可するセルの識別情報と、ＣＡ通信をしている基地局装置２００の数毎の画質情報とを記憶する。
能力選択部１０５は、能力記憶部１０３が在圏するＰ−Ｃｅｌｌの識別情報を記憶している場合、セル数特定部１１０が特定したセルの数に関連付けられた画質情報を能力記憶部１０３から読み出し、通信レートを特定する。
【００４０】
図４は、第６の実施形態に係る通信端末１００の画像情報の送信時の動作を示す図である。
通信端末１００がテレビ電話などの画像情報の送信を開始すると、まず能力選択部１０５は、能力記憶部１０３が記憶するセルの識別情報の中に、通信端末１００が現在在圏しているＰ−Ｃｅｌｌの識別情報が含まれるか否かを判定する（ステップＳ２０１）。
【００４１】
能力選択部１０５は、能力記憶部１０３が記憶するセルの識別情報の中に、現在在圏しているセルの識別情報が含まれると判定した場合（ステップＳ２０１：ＹＥＳ）、セル数特定部１１０は、通信端末１００に割り当てられたセルの数を特定する（ステップＳ２０２）。次に、能力選択部１０５は、セル数特定部１１０が特定したセルの数に関連付けて能力記憶部１０３が記憶する画質情報に基づいて、当該セルを介した通信に用いる通信レートを特定する（ステップＳ２０３）。また、解像度特定部１０８は、セル数特定部１１０が特定したセルの数に関連付けて能力記憶部１０３が記憶する画質情報に基づいて、送信する画像情報の解像度を特定する（ステップＳ２０４）。なお、表示部１０９は、セル数に応じてアイコンの色を変更したり、専用のアイコンを表示させたりしても良い。
【００４２】
他方、能力選択部１０５は、能力記憶部１０３が記憶するセルの識別情報の中に、現在在圏しているセルの識別情報が含まれないと判定した場合（ステップＳ２０１：ＮＯ）、当該セルを介した通信に用いる通信レートとして、通信レートのデフォルト値を用いることを決定する（ステップＳ２０５）。また、解像度特定部１０８は、送信する画像情報の解像度として、解像度のデフォルト値を用いることを決定する（ステップＳ２０６）。
【００４３】
ステップＳ２０３またはＳ２０５で能力選択部１０５が通信レートを特定すると、能力送信制御部１０６は、端末送信部１０１に、能力選択部１０５が特定した通信レートを示すレート情報を基地局装置２００に通知させる（ステップＳ２０７）。これにより、基地局装置２００の端末能力特定部２０３は、基地局受信部２０２が受信したレート情報に基づいて当該通信端末１００との通信に用いる通信レートを特定する。そして、スケジューリング部２０５は、当該通信レートに基づいて通信端末１００に対するスケジューリングを行う。
【００４４】
次に、解像度特定部１０８は、画像取得部１０７が取得した画像情報を、特定した解像度の画像情報に変換する（ステップＳ２０８）。そして端末送信部１０１は、解像度特定部１０８が変換した画像情報を、能力選択部１０５が特定した通信レートで送信する（ステップＳ２０９）。
【００４５】
次に、セル数特定部１１０は、ＣＡに用いられるセル数が変更されたか否かを判定する（ステップＳ２１０）。ＣＡに用いられるセル数が変更された場合（ステップＳ２１０：ＹＥＳ）、通信端末１００は、ステップＳ２０１に戻り、在圏変更後のセルで用いる通信レート及び解像度を特定する。つまり、通信端末１００は、接続されるセル数が増える度に、通信レート及び解像度を高くし、接続されるセル数が減る度に、通信レート及び解像度を低くする。なお、表示部１０９は、セル数の増減によって通信レート及び解像度を変化させる場合、その旨を画面に表示しても良い。
【００４６】
他方、ＣＡに用いられるセル数が変更されない場合（ステップＳ２１０：ＮＯ）、通信端末１００は、在圏するＰ−Ｃｅｌｌが変更されたか否かを判定する（ステップＳ２１１）。在圏するＰ−Ｃｅｌｌが変更された場合（ステップＳ２１１：ＹＥＳ）、通信端末１００は、ステップＳ２０１に戻り、在圏変更後のＰ−Ｃｅｌｌで用いる通信レート及び解像度を特定する。他方、在圏するＰ−Ｃｅｌｌが変更されない場合（ステップＳ２１１：ＮＯ）、通信端末１００は、ステップＳ２０８に戻り、画像情報の送信を継続する。
【００４７】
なお、通信端末１００が画像情報を受信する場合、通信端末１００は、送信時と同様の手順で通信レート及び解像度を特定し、通信レートを基地局装置２００に通知する。そして、通信端末１００の解像度特定部１０８は、端末受信部１０２が受信した画像情報の解像度を特定し、当該解像度に基づいて画像情報を表示部１０９に表示させる。
上記手順により、通信端末１００は、接続しているセル数に応じた画質での画像通信を行うことができる。
【００４８】
《第７の実施形態》
第６の実施形態に係る通信端末１００は、接続するセル数毎に異なる通信レート及び解像度での通信を行うが、これに限られない。第７の実施形態に係る能力記憶部１０３は、高画質での通信を許可するセル数を記憶する。そして能力選択部１０５は、能力記憶部１０３が記憶するセルの識別情報の中に、通信端末１００が現在在圏しているＰ−Ｃｅｌｌの識別情報が含まれ、かつセル数特定部１１０が特定したセル数が能力記憶部１０３が記憶するセル数以上である場合に、能力記憶部１０３が記憶する画質情報に基づいて通信レートを特定する。他方、能力記憶部１０３が記憶するセルの識別情報の中に、通信端末１００が現在在圏しているＰ−Ｃｅｌｌの識別情報が含まれない場合、またはセル数特定部１１０が特定したセル数が能力記憶部１０３が記憶するセル数未満である場合に、デフォルトの通信レートで通信を行うことを決定する。解像度特定部１０８も同様に、能力記憶部１０３が記憶するセルの識別情報の中に、通信端末１００が現在在圏しているＰ−Ｃｅｌｌの識別情報が含まれ、かつセル数特定部１１０が特定したセル数が能力記憶部１０３が記憶するセル数以上である場合に、能力記憶部１０３が記憶する画質情報に基づいて解像度を特定する。
【００４９】
《第８の実施形態》
第８の実施形態に係る通信端末１００は、基地局装置２００からスケジューリング情報を取得し、当該スケジューリング情報に基づいて通信レート及び解像度を特定する。これは、基地局装置２００のスケジューリングによっては、通信能力の高いセルに在圏していたとしても、十分な帯域を確保することができず、所望の通信速度を得ることができない可能性があるためである。
【００５０】
図５は、第８の実施形態に係る通信システムの構成を示す概略ブロック図である。
第８の実施形態に係る通信端末１００は、第６の実施形態の構成に加え、さらにスケジュール取得部１１１を備え、能力選択部１０５の動作が異なる。
スケジュール取得部１１１は、端末受信部１０２を介して通信端末１００に割り当てられたスケジューリング情報を取得する。
能力選択部１０５は、能力記憶部１０３が在圏するＰ−Ｃｅｌｌの識別情報を記憶している場合、セル数特定部１１０が特定したセルの数に関連付けられた画質情報を能力記憶部１０３から読み出し、通信レートを特定する。ただし、能力選択部１０５は、能力記憶部１０３が在圏するＰ−Ｃｅｌｌの識別情報を記憶している場合であっても、スケジュール取得部１１１が取得したスケジューリング情報から特定される通信速度が所定の通信速度に満たない場合、デフォルトの通信レートで通信を行うことを決定する。
【００５１】
図６は、第８の実施形態に係る通信端末１００の画像情報の送信時の動作を示す図である。
通信端末１００がテレビ電話などの画像情報の送信を開始すると、まず能力選択部１０５は、能力記憶部１０３が記憶するセルの識別情報の中に、通信端末１００が現在在圏しているＰ−Ｃｅｌｌの識別情報が含まれるか否かを判定する（ステップＳ３０１）。
【００５２】
能力選択部１０５は、能力記憶部１０３が記憶するセルの識別情報の中に、現在在圏しているセルの識別情報が含まれると判定した場合（ステップＳ３０１：ＹＥＳ）、スケジュール取得部１１１は、端末受信部１０２を介してＰ−Ｃｅｌｌを形成する基地局装置２００からスケジューリング情報を取得する（ステップＳ３０２）。次に、能力選択部１０５は、スケジュール取得部１１１が取得したスケジューリング情報に基づいて通信速度を推定し、当該通信速度が所定の通信速度以上であるか否かを判定する（ステップＳ３０３）。
【００５３】
能力選択部１０５が推定した通信速度が所定の通信速度以上である場合（ステップＳ３０３：ＹＥＳ）、セル数特定部１１０は、通信端末１００に割り当てられたセルの数を特定する（ステップＳ３０４）。次に、能力選択部１０５は、セル数特定部１１０が特定したセルの数に関連付けて能力記憶部１０３が記憶する画質情報に基づいて、当該セルを介した通信に用いる通信レートを特定する（ステップＳ３０５）。また、解像度特定部１０８は、セル数特定部１１０が特定したセルの数に関連付けて能力記憶部１０３が記憶する画質情報に基づいて、送信する画像情報の解像度を特定する（ステップＳ３０６）。なお、表示部１０９は、セル数に応じてアイコンの色を変更したり、専用のアイコンを表示させたりしても良い。
【００５４】
他方、能力選択部１０５が、能力記憶部１０３が記憶するセルの識別情報の中に、現在在圏しているセルの識別情報が含まれないと判定した場合（ステップＳ３０１：ＮＯ）、または能力選択部１０５が推定した通信速度が所定の通信速度未満である場合（ステップＳ３０３：ＮＯ）、能力選択部１０５は、当該セルを介した通信に用いる通信レートとして、通信レートのデフォルト値を用いることを決定する（ステップＳ３０７）。また、解像度特定部１０８は、送信する画像情報の解像度として、解像度のデフォルト値を用いることを決定する（ステップＳ３０８）。
【００５５】
ステップＳ３０５またはＳ３０７で能力選択部１０５が通信レートを特定すると、能力送信制御部１０６は、端末送信部１０１に、能力選択部１０５が特定した通信レートを示すレート情報を基地局装置２００に通知させる（ステップＳ３０９）。これにより、基地局装置２００の端末能力特定部２０３は、基地局受信部２０２が受信したレート情報に基づいて当該通信端末１００との通信に用いる通信レートを特定する。そして、スケジューリング部２０５は、当該通信レートに基づいて通信端末１００に対するスケジューリングを行う。
【００５６】
次に、解像度特定部１０８は、画像取得部１０７が取得した画像情報を、特定した解像度の画像情報に変換する（ステップＳ３１０）。そして端末送信部１０１は、解像度特定部１０８が変換した画像情報を、能力選択部１０５が特定した通信レートで送信する（ステップＳ３１１）。
【００５７】
次に、セル数特定部１１０は、ＣＡに用いられるセル数が変更されたか否かを判定する（ステップＳ３１２）。ＣＡに用いられるセル数が変更された場合（ステップＳ３１２：ＹＥＳ）、通信端末１００は、ステップＳ３０１に戻り、在圏変更後のセルで用いる通信レート及び解像度を特定する。つまり、通信端末１００は、接続されるセル数が増える度に、通信レート及び解像度を高くし、接続されるセル数が減る度に、通信レート及び解像度を低くする。なお、表示部１０９は、セル数の増減によって通信レート及び解像度を変化させる場合、その旨を画面に表示しても良い。
【００５８】
他方、ＣＡに用いられるセル数が変更されない場合（ステップＳ３１２：ＮＯ）、通信端末１００は、在圏するＰ−Ｃｅｌｌが変更されたか否かを判定する（ステップＳ３１３）。在圏するＰ−Ｃｅｌｌが変更された場合（ステップＳ３１３：ＹＥＳ）、通信端末１００は、ステップＳ２０１に戻り、在圏変更後のＰ−Ｃｅｌｌで用いる通信レート及び解像度を特定する。他方、在圏するＰ−Ｃｅｌｌが変更されない場合（ステップＳ３１３：ＮＯ）、通信端末１００は、ステップＳ３１０に戻り、画像情報の送信を継続する。
【００５９】
なお、通信端末１００が画像情報を受信する場合、通信端末１００は、送信時と同様の手順で通信レート及び解像度を特定し、通信レートを基地局装置２００に通知する。そして、通信端末１００の解像度特定部１０８は、端末受信部１０２が受信した画像情報の解像度を特定し、当該解像度に基づいて画像情報を表示部１０９に表示させる。
上記手順により、通信端末１００は、接続しているセル数に応じた画質での画像通信を行うことができる。
【００６０】
以上、図面を参照して一実施形態について詳しく説明してきたが、具体的な構成は上述のものに限られることはなく、様々な設計変更等をすることが可能である。
【００６１】
なお、上述の通信端末１００は、ＣＰＵ、主記憶装置、補助記憶装置及びインタフェースを備えるコンピュータに実装される。そして、上述した各処理部の動作は、プログラムの形式で補助記憶装置に記憶されている。ＣＰＵは、プログラムを補助記憶装置から読み出して主記憶装置に展開し、当該プログラムに従って上記処理を実行する。また、ＣＰＵは、プログラムに従って、上述した各記憶部に対応する記憶領域を主記憶装置に確保する。
【００６２】
なお、少なくとも１つの実施形態において、補助記憶装置は、一時的でない有形の媒体の一例である。一時的でない有形の媒体の他の例としては、インタフェースを介して接続される磁気ディスク、光磁気ディスク、ＣＤ−ＲＯＭ、ＤＶＤ−ＲＯＭ、半導体メモリ等が挙げられる。また、このプログラムが通信回線によってコンピュータに配信される場合、配信を受けたコンピュータが当該プログラムを主記憶装置に展開し、上記処理を実行しても良い。
【００６３】
また、当該プログラムは、前述した機能の一部を実現するためのものであっても良い。さらに、当該プログラムは、前述した機能を補助記憶装置に既に記憶されている他のプログラムとの組み合わせで実現するもの、いわゆる差分ファイル（差分プログラム）であっても良い。
【符号の説明】
【００６４】
１００…通信端末  １０１…端末送信部  １０２…端末受信部  １０３…能力記憶部  １０４…能力設定部  １０５…能力選択部  １０６…能力送信制御部  １０７…画像取得部  １０８…解像度特定部  １０９…表示部  １１０…セル数特定部  １１１…スケジュール取得部  ２００…基地局装置  ２０１…基地局送信部  ２０２…基地局受信部  ２０３…端末能力特定部  ２０４…端末能力記憶部  ２０５…スケジューリング部
【図１】
2016039609.tif 000003
【図２】
2016039609.tif 000004
【図３】
2016039609.tif 000005
【図４】
2016039609.tif 000006
【図５】
2016039609.tif 000007
【図６】
2016039609.tif 000008